(57)【要約】【課題】電話帳に登録された通信相手毎の関連電話番号を効率的に電話帳に追加登録できる電話装置を提供する。【解決手段】電話番号／関連電話番号蓄積部２に登録されている電話番号へ電話帳発信して切断された後にダイヤル発信があり、かつ前記ダイヤル発信の電話番号が関連電話番号として登録されていない場合、関連電話番号登録処理部３はダイヤル発信した電話番号を先に電話帳発信した電話番号と関連付けて電話番号／関連電話番号蓄積部２に登録する。【選択図】  図１
2011109415.tif 000002
【特許請求の範囲】
【請求項１】
通信相手の電話番号を登録する電話帳機能を備える電話装置において、
複数の電話番号を関連付けて登録する関連電話番号登録手段と、発信電話番号が前記関連電話番号登録手段に登録されているか否かを判定する登録判定手段と、を有し、
前記関連電話番号登録手段に登録されているいずれかの電話番号への第１の発信を実行し、前記第１の発信に係る呼が切断された後にダイヤル操作による第２の発信を実行し、前記登録判定手段が前記第２の発信の発信電話番号は前記関連電話番号登録手段に登録されていないと判定した場合に、
前記関連電話番号登録手段は前記第２の発信の発信電話番号を前記関連電話番号登録手段に登録されている前記第１の発信に対応する通信相手の電話番号と関連付けて登録することを特徴とする関連電話番号登録機能を有する電話装置。
【請求項２】
請求項１に記載の電話装置において、
前記関連電話番号登録手段に登録されているいずれかの電話番号への第１の発信を実行し、前記第１の発信に係る呼が切断されてから所定の時間が経過する以前に、ダイヤル操作による第２の発信を実行し、前記登録判定手段が前記第２の発信の発信電話番号は前記関連電話番号登録手段に登録されていないと判定すると共に、登録に係る予め定められた特定操作が為された場合または登録禁止に係る予め定められた特定操作が為されない場合に、
前記関連電話番号登録手段は、前記第２の発信の発信電話番号を、前記関連電話番号登録手段に登録されている前記第１の発信に対応する通信相手の電話番号と関連付けて自動的に登録することを特徴とする関連電話番号登録機能を有する電話装置。
【請求項３】
請求項１または２に記載の電話装置において、
前記関連電話番号登録手段に登録されているいずれかの電話番号への第１の発信を実行し、前記第１の発信の発信電話番号と関連付けられた電話番号が前記関連電話番号登録手段に登録されていた場合に、
前記関連付けられた電話番号の存在を表示することを特徴とする関連電話番号登録機能を有する電話装置。
【発明の詳細な説明】
【技術分野】
【０００１】
本発明は、通信相手の電話番号を登録する電話帳機能を備える電話装置に関し、特に、関連性の高い新たな電話番号を簡単な操作で登録できる電話装置に関する。
【背景技術】
【０００２】
電話帳機能を備える電話装置において、通信相手毎に会社、自宅、携帯電話等の関連する複数の電話番号を登録し、発信した通話先に繋がらなかった場合に、関連する電話番号を表示部に表示して、関連する他の電話番号へ簡単な操作で発信可能とする技術がある（例えば、特許文献１）。
【０００３】
しかしながら、特許文献１の技術は、通信相手毎に会社、自宅、携帯電話等の関連する複数の電話番号が電話帳に予め登録されていることが前提であり、使用するかどうか分らない関連電話番号を通信相手毎に予め登録することは、多大な労力を要し、非効率であった。
【先行技術文献】
【特許文献】
【０００４】
【特許文献１】特開２０００−１０６６００号公報
【発明の開示】
【発明が解決しようとする課題】
【０００５】
本発明の課題は、電話帳に登録された通信相手毎の関連電話番号を効率的に電話帳に追加登録できる電話装置を提供することにある。
【課題を解決するための手段】
【０００６】
上記課題を解決するために、第１の発明は、通信相手の電話番号を登録する電話帳機能を備える電話装置において、複数の電話番号を関連付けて登録する関連電話番号登録手段と、発信電話番号が前記関連電話番号登録手段に登録されているか否かを判定する登録判定手段と、を有し、前記関連電話番号登録手段に登録されているいずれかの電話番号への第１の発信を実行し、前記第１の発信に係る呼が切断された後にダイヤル操作による第２の発信を実行し、前記登録判定手段が前記第２の発信の発信電話番号は前記関連電話番号登録手段に登録されていないと判定した場合に、前記関連電話番号登録手段は前記第２の発信の発信電話番号を前記関連電話番号登録手段に登録されている前記第１の発信に対応する通信相手の電話番号と関連付けて登録することを特徴とする。
【０００７】
また、第２の発明は、第１の発明の電話装置において、前記関連電話番号登録手段に登録されているいずれかの電話番号への第１の発信を実行し、前記第１の発信に係る呼が切断されてから所定の時間が経過する以前に、ダイヤル操作による第２の発信を実行し、前記登録判定手段が前記第２の発信の発信電話番号は前記関連電話番号登録手段に登録されていないと判定すると共に、登録に係る予め定められた特定操作が為された場合または登録禁止に係る予め定められた特定操作が為されない場合に、前記関連電話番号登録手段は、前記第２の発信の発信電話番号を、前記関連電話番号登録手段に登録されている前記第１の発信に対応する通信相手の電話番号と関連付けて自動的に登録することを特徴とする。
【０００８】
さらに、第３の発明は、第１または第２の発明の電話装置において、前記関連電話番号登録手段に登録されているいずれかの電話番号への第１の発信を実行し、前記第１の発信の発信電話番号と関連付けられた電話番号が前記関連電話番号登録手段に登録されていた場合に、前記関連付けられた電話番号の存在を表示することを特徴とする。
【発明の効果】
【０００９】
本発明によれば、日々の使用で、通信相手毎の関連電話番号が自動的に登録される電話装置を提供出来る。これにより、利用するかどうか分らない関連電話番号を通信相手毎に予め登録する労力を省ける効果がある。
【図面の簡単な説明】
【００１０】
【図１】・・・本発明装置の実施形態に係るブロック構成図
【図２】・・・電話番号／関連電話番号蓄積部が蓄積するデータ例
【図３】・・・本発明装置の実施形態に係るフローチャート
【発明を実施するための形態】
【００１１】
図１は、本発明の実施形態に係る電話装置（以下、本装置と略す）１のブロック構成図であって、１は本発明に係る実施形態の電話装置、２は通信相手の電話番号とその関連電話番号を関連付けて蓄積する電話番号／関連電話番号蓄積部、３は関連電話番号登録処理部、４はキー入力部７からダイヤル入力された電話番号を記憶するダイヤル番号記憶部、５は本装置１の全体を制御する制御部、６は発着信通話に係る通信処理を実行する通信処理部、７はダイヤルキーやファンクションキー等のキー入力部、８は通信状態や電話番号や操作等に係る情報等を表示する表示部、９は送受話器を含む通話部である。
【００１２】
電話番号／関連電話番号蓄積部２は、電話帳機能に係る電話番号蓄積手段であって、普段使用する通信相手の電話番号に加え、関連電話番号を各通信相手の電話番号と関連付けて蓄積する機能を有する。
【００１３】
図２に電話番号／関連電話番号蓄積部２に蓄積されるデータの例を示す。２０１は通信相手の名称、２０２は普段使用する通信相手の電話番号、２０３および２０４は各通信相手の電話番号と関連付けた関連電話番号である。なお、図２では関連電話番号が２個までの場合で例示しているが、２個以上でもよい。
【００１４】
通信処理部６は、ネットワークへの発信の際、電話番号／関連電話番号蓄積部２から入力する通信相手の電話番号による電話帳発信、または制御部１０を経由して入力されるキー入力部７からのダイヤル番号によるダイヤル発信（発呼ともいう）を実行する。
【００１５】
図３は本装置１の動作フローチャートである。以下、図１，図２を併用して本装置１の動作フローを説明する。なお、図３において、各ステップの順番は一例を示すものであり、作用・効果を変更しない範囲で任意に入れ替えても良い。本フローは電源が投入された段階でスタートし（Ｓ３０１）、電話帳発信要求を待つ（Ｓ３０２）。
【００１６】
本装置１の操作者がキー操作して、電話番号／関連電話番号蓄積部２に蓄積されているいずれかの通信相手を選択して発信操作すると、本装置１は電話帳発信要求有りを検知し（Ｓ３０２，ＹＥＳ）、その通信相手の電話番号で発信すると共に通信相手が応答すれば通話処理を実行する（Ｓ３０３）。そして、相手が応答したか否かに関わらず、操作者がオンフックして回線が切断されると（Ｓ３０４，ＹＥＳ）、制御部５はＳ３０３で発信した通信相手の電話番号に関連付けられた関連電話番号が有るか否かを判定する（Ｓ３０５）。
【００１７】
なお、Ｓ３０２の電話帳発信要求有りの検出は、直接電話帳で通信相手を選択して発信操作以外に、発信履歴または着信履歴から選択した通信相手が電話番号／関連電話番号蓄積部２に蓄積されている電話番号と一致したときに発信操作した場合も含む。
【００１８】
Ｓ３０５で関連電話番号が無かった場合（Ｓ３０５，ＮＯ）、タイマー１（例えば３分）を起動し（Ｓ３１０）、ダイヤル発信の有無を監視する（Ｓ３１１）。Ｓ３１１でＮＯであればＳ３１２へ進み、タイマー１が満了でなければ（Ｓ３１２，ＮＯ）、Ｓ３１１に戻る。タイマー１が満了であれば（Ｓ３１２，ＹＥＳ）、本フローは終了する（Ｓ３４０）。
【００１９】
Ｓ３１１でダイヤル発信が実行された場合（Ｓ３１１，ＹＥＳ）、制御部５はキー入力部７からダイヤル入力されたダイヤル番号をダイヤル番号記憶部４に記憶する（Ｓ３１３）。そして、そのダイヤル番号が電話番号／関連電話番号蓄積部２に登録されているか否かを判定する。登録されている場合（Ｓ３２０，ＹＥＳ）、本フローは終了する（Ｓ３４０）。
【００２０】
Ｓ３２０でそのダイヤル番号が電話番号／関連電話番号蓄積部２に登録されていない場合（Ｓ３２０，ＮＯ）、タイマー２（例えば１分）を起動し（Ｓ３２１）、そのダイヤル番号を関連電話番号として電話番号／関連電話番号蓄積部２に登録するための特定操作の有無を判定する（Ｓ３２２）。前記特定操作が無いまま（Ｓ３２２，ＮＯ）タイマー２が満了したら（Ｓ３２３，ＹＥＳ）、本フローは終了する（Ｓ３４０）。
【００２１】
関連電話番号として登録するための特定操作が為された場合（Ｓ３２２，ＹＥＳ）、関連電話番号登録処理部３は、ダイヤル番号記憶部４に記憶されているダイヤル番号を、Ｓ３０３で発信した電話帳発信の電話番号の関連電話番号として電話番号／関連電話番号蓄積部２に登録する。
【００２２】
例えば、図２の「中村」氏の電話番号２０２へ発信して切断後の数分以内に、ダイヤル発信があった場合、最初の「中村」氏への発信では「中村」氏以外が応答して「中村」氏の携帯電話や出先の電話番号を知らされたことにより、その電話番号をダイヤル発信した可能性が高い。または、「中村」氏本人が応答して次に電話すべき相手の電話番号を知らされ、その電話番号をダイヤル発信した可能性が高い。いずれにしても、そのダイヤル番号は「中村」氏と関係がある可能性が高いので、簡単な特定操作（例えば「＃」押下）または自動的に「中村」氏の関連電話番号として登録出来ることは利便性が高い。
【００２３】
Ｓ３０５でＹＥＳの場合、制御部５はＳ３０３で電話帳発信した電話番号の関連電話番号を表示部８に表示する（Ｓ３３０）。そして、そのまま所定の発信操作が為されると（Ｓ３３１，ＹＥＳ）、通信処理部６はＳ３３０で表示した関連電話番号で発信処理を実行し（Ｓ３３２）、本フローは終了する（Ｓ３４０）。Ｓ３３１でＮＯであればＳ３１０に進む。
【００２４】
例えば、図２の「尾島」氏の電話番号２０２へ発信した場合、「尾島」氏の不在を知って、携帯電話や出先へ電話番号等の登録されている関連電話番号２０３，２０４へ発信する可能性がある。もしくは、「尾島」氏の在／不在に係らず、次に電話する先としての関連電話番号へ発信する可能性もある。いずれにしても、次に発信する可能性のある「尾島」氏の関連電話番号を表示することは利便性が高い。もし、発信しないならそのまま放置しておけばよく、いずれ、別イベントによりその表示も消える（図示せず）。
【００２５】
なお、Ｓ３２２では、そのダイヤル番号を関連電話番号として電話番号／関連電話番号蓄積部２に登録するための特定操作の有無を判定するとしたが、逆に、そのダイヤル番号を関連電話番号として電話番号／関連電話番号蓄積部２への自動登録を禁止するための特定操作の有無を判定するようにして、タイマー２が満了する以前に登録を禁止するための特定操作が為されなければ、自動登録するようにしてもよい（図示せず）。
【００２６】
以上説明した通り、本発明によれば、通信相手毎の関連電話番号が自動的に充実していくので、いつ利用するかどうか分らない関連電話番号を通信相手毎に予め登録する必要も無く効率的である。
【００２７】
ところで、実施形態において、本装置１は、送受話器等の通話部９を有する電話装置として説明したが、本装置はこれに限定されない。例えば、内線電話機を収容するボタン電話主装置や構内交換装置であってもよい。
【符号の説明】
【００２８】
１・・・本発明に係る実施形態の電話装置
２・・・電話番号／関連電話番号蓄積部
３・・・関連電話番号登録処理部
４・・・ダイヤル番号記憶部
５・・・制御部
６・・・通信処理部
７・・・キー入力部
８・・・表示部
９・・・通話部
【図１】
2011109415.tif 000003
【図２】
2011109415.tif 000004
【図３】
2011109415.tif 000005